(57)【要約】【課題】使い勝手のよい照明制御システムおよびこの照明制御システムに用いられる壁スイッチを提供する。【解決手段】照明制御システム１０は、照明器具１１と壁スイッチ２１を具備する。照明器具１１は、遠隔操作によって点灯制御される。壁スイッチ２１は、スイッチを操作することによって接点開閉部２６がオフ状態になるとともに、操作を止めることにより接点開閉部２６をオン状態に復帰させ、照明器具１１に対する電源の供給を制御する。【選択図】        図１
2014154286.tif 000002
【特許請求の範囲】
【請求項１】
遠隔操作によって点灯制御される照明器具と；
スイッチを操作することによって接点開閉部がオフ状態になるとともに、操作を止めることにより接点開閉部をオン状態に復帰させ、照明器具に対する電源の供給を制御する壁スイッチと；
を具備していることを特徴とする照明制御システム。
【請求項２】
反転機能によって接点を開閉する接点開閉部を有するスイッチ本体と；
スイッチ本体の接点開閉部を操作する駆動ハンドルと；
駆動ハンドルを操作することによって反転機能の中立状態の手前で駆動ハンドルの移動が停止され、接点開閉部がオフ状態になるとともに、操作を止めることにより反転機能によって接点開閉部をオン状態に復帰させる駆動ハンドルに設けられたストッパー部材と；
を具備し、請求項１に記載の照明制御システムに用いられる壁スイッチ。
【請求項３】
遠隔操作によって点灯制御される照明器具と；
接点開閉部をオン状態またはオフ状態に固定するための固定手段を有し、照明器具に対する電源の供給を制御する壁スイッチと；
を具備していることを特徴とする照明制御システム。
【請求項４】
反転機能によって接点を開閉する接点開閉部を有するスイッチ本体と；
スイッチ本体の接点開閉部を操作するスイッチカバーと；
スイッチカバーに接点開閉部の反転を阻止する位置と反転を許容する位置に移動可能に設けられた固定手段と；
を具備し、請求項３に記載の照明制御システムに用いられる壁スイッチ。
【請求項５】
反転機能によって接点を開閉する接点開閉部を有するスイッチ本体と；
スイッチ本体の接点開閉部を操作する駆動ハンドルと；
駆動ハンドルに接点開閉部の反転を阻止する位置と反転を許容する位置に移動可能に設けられた固定手段と；
を具備し、請求項３に記載の照明制御システムに用いられる壁スイッチ。
【発明の詳細な説明】
【技術分野】
【０００１】
本発明の実施形態は、照明器具を遠隔操作によって制御する照明制御システムおよびこの照明制御システムに用いられる壁スイッチに関する。
【背景技術】
【０００２】
この種の照明制御システムは、部屋の天井面等に設置された遠隔操作機能を有する照明器具と、部屋の壁面等に設置された壁スイッチによって構成され、壁スイッチにより照明器具への電源のオン・オフが行われるとともに、有線または無線式のリモートコントロール機能（以下「リモコン」と称す）によって照明器具の点灯・調光・消灯等の点灯制御が行われている。
【先行技術文献】
【特許文献】
【０００３】
【特許文献１】特開平６−７６６８５号公報
【特許文献２】特開平１１−２５８２２号公報
【特許文献３】実開平５−６００７３号公報
【発明の概要】
【発明が解決しようとする課題】
【０００４】
しかしながら、この種の照明制御システムにおいて、使用時に壁スイッチがオフの場合には、照明器具に電源が供給されず、リモコンでの点灯制御操作ができなくなる。このため、リモコンで照明器具を点灯制御するためには、わざわざ壁スイッチまで行き、スイッチをオン状態にしなければならず、使い勝手が悪いという問題が生じていた。このため、この種の遠隔操作によって制御される照明制御システムにおいては、如何にして使い勝手のよい照明制御システムおよび壁スイッチを実現するかが重要な課題になっている。
【０００５】
本発明は、上記の課題に鑑みてなされたもので、使い勝手のよい照明制御システムおよびこの照明制御システムに用いられる壁スイッチを提供しようとするものである。
【課題を解決するための手段】
【０００６】
本発明の実施形態における照明制御システムは、照明器具と壁スイッチを具備する。照明器具は、遠隔操作によって点灯制御される。壁スイッチは、スイッチを操作することによって接点開閉部がオフ状態になるとともに、操作を止めることにより接点開閉部をオン状態に復帰させ、照明器具に対する電源の供給を制御する。
【発明の効果】
【０００７】
本発明によれば、使い勝手のよい照明制御システムおよびこの照明制御システムに用いられる壁スイッチを提供することができる。
【図面の簡単な説明】
【０００８】
【図１】本発明の第１実施形態である照明制御システムを概略的に示す部屋の側面図。
【図２】同じく照明制御システムの概略構成を示す回路ブロック図。
【図３】同じく壁スイッチを示し、（ａ）はオン状態を示す縦断面図、（ｂ）はオフ状態を示す縦断面図。
【図４】同じく壁スイッチを示し、（ａ）はサポート金具に支持した状態を示す正面図、（ｂ）は（ａ）図にプレートを取り付けた状態を示す正面図。
【図５】同じく壁スイッチを示し、（ａ）は２連式として構成した状態を示す正面図、（ｂ）は３連式として構成した状態を示す正面図。
【図６】本発明の第２実施形態である壁スイッチを示し、（ａ）はオン状態を示す縦断面図、（ｂ）はオフ状態を示す縦断面図。
【図７】同じく壁スイッチを示し、（ａ）はスイッチカバーの正面図、（ｂ）は（ａ）図の下面図、（ｃ）は（ａ）図のスイッチカバーに円板を取り付けた状態を示す正面図、（ｄ）は（ｂ）図のｄ−ｄ線に沿う断面図、（ｅ）は（ｃ）図のスイッチカバーに化粧カバーを取り付けた状態を示す正面図、（ｆ）は（ｅ）図の下面図。
【図８】同じく壁スイッチを示し、（ａ）はスイッチカバーの左側面図、（ｂ）は背面図。
【図９】同じく壁スイッチを示し、（ａ）（ｂ）（ｃ）はストッパーによりオン状態に保持にした状態を示す図で、（ａ）はストッパーを右方に回動した状態を示すスイッチカバーの正面図、（ｂ）は（ａ）図の下面図、（ｃ）は（ａ）図にスイッチ本体を破線で示した正面図、（ｄ）（ｅ）（ｆ）はストッパーを解除した状態を示す図で、（ｄ）はストッパーを左方に回動した状態を示すスイッチカバーの正面図、（ｅ）は（ｄ）図の下面図、（ｆ）は（ｄ）図にスイッチ本体を破線で示した正面図。
【図１０】本発明の第３実施形態である壁スイッチを示し、（ａ）はオン状態に保持した状態を、スイッチカバーを外した状態で示す上面図、（ｂ）はオン状態を保持した状態を示す縦断面図。
【図１１】同じくストッパーを解除し、オフ状態とした壁スイッチを示す縦断面図。
【図１２】同じく壁スイッチの変形例を示す斜視図。
【発明を実施するための形態】
【０００９】
以下、本発明の実施形態について図に従い説明する。
【実施形態１】
【００１０】
本実施形態は、一般家庭に設置される照明制御システム１０を構成するもので、図１に示すように、遠隔操作によって点灯制御される照明器具１１と、スイッチを操作することによって接点開閉部がオフ状態になるとともに、操作を止めることにより接点開閉部をオン状態に復帰させ、照明器具１１に対する電源の供給を制御する壁スイッチ２１を有して構成する。本実施形態における壁スイッチは、電源と器具間の電路に設けられ、スイッチの操作によって、器具の電源をオン・オフするものであり、設置場所は壁面に限らず、上記の電源オン・オフ機能を有する全てのスイッチが許容される。
【００１１】
この照明制御システム１０によれば、壁スイッチ２１は、スイッチを操作することによって接点開閉部がオフ状態になるとともに、操作を止めることにより接点開閉部をオン状態に復帰させる機能、すなわち、電源を常時オン状態に保持することが可能になり、照明器具への通電を不用意に遮断することがなく、リモコンによる遠隔操作が可能であるので、照明器具の点灯に際し、従来のようにわざわざ壁スイッチの所まで行きスイッチを入れる必要がなく、使い勝手のよい照明制御システムを提供することが可能になる。
【００１２】
以下、上記照明制御システムの構成を説明する。先ず、照明器具１１は、本実施形態では、図１に示すように、ＬＥＤを光源１１ａとし、この光源を遠隔制御によって制御するリモコン機能を備えたシーリング器具で構成され、部屋の天井面Ｘに引掛シーリング等の手段Ｙによって支持されている。
【００１３】
照明器具１１は、図２に示すように、照明制御部１１ｂと信号受信部１１ｃを有し、照明制御部１１ｂは、マイクロコンピュータ等で構成され、信号受信部１１ｃで受信した信号に基づき、光源１１ａを点灯・調光・消灯等の点灯制御を行う。信号受信部１１ｃは、リモコン機能における信号受信部となり、本実施形態では、赤外線受信部で構成されている。そして、照明器具１１は、屋内配線Ｌによって電源Ｅに接続されている。
【００１４】
図中１２は、遠隔操作機能を構成するためのリモコンで、制御部１２ａと操作部１２ｂおよび信号送信部１２ｃを有して構成され、制御部１２ａは、マイクロコンピュータ等で構成され、操作部１２ｂからの操作信号に基づき、点灯・調光・消灯等の各種照明モードに関する点灯制御信号を生成し、信号送信部１２ｃに伝送する。信号送信部１２ｃは、本実施形態では赤外線送信機で構成され、制御部１２ａから伝送された点灯制御信号を照明器具１１の信号受信部１１ｃに対し無線で伝送する。これにより、照明器具１１は、無線式のリモコン１２によって、点灯・調光・消灯等の各種の照明モードに点灯制御される。
【００１５】
壁スイッチ２１は、部屋の壁面等に予め設置された配線ボックス内にスイッチ本体が埋め込まれ、スイッチ本体の操作部が壁面から露出するようにして設置され、図２に示すように、照明器具１１が接続された屋内配線Ｌの中間部に接続されて照明器具１１に対する電源Ｅの供給が制御される。
【００１６】
この壁スイッチ２１は、上述のように、スイッチを操作することによって接点開閉部がオフ状態になるとともに、操作を止めることにより接点開閉部をオン状態に復帰させる機能、すなわち、常時ＯＮ状態を保持することが可能なスイッチで、特許文献１に示すような「押している間はＯＦＦで押すのを止めるとＯＮになるプッシュ式の押ボタンスイッチ」で構成してもよいが、本実施形態においては、特許文献１のような新規の専用のスイッチを構成することなく、既存のワイド形のスイッチを利用し、その一部を改良することによって汎用性を有する安価な壁スイッチとして構成した。
【００１７】
すなわち、壁スイッチ２１は、図３に示すように、スイッチ本体２２とスイッチの操作部となるスイッチカバー２３で構成され、スイッチ本体２２は、ケース体２４、駆動ハンドル２５、ケース体２４の内部に収納された接点開閉部２６、電線を接続するための端子部２７、２８で構成されている。ケース体２４は、合成樹脂等の電気絶縁体によって上端部に開口部２４ａを有する小さな箱形に形成されている。
【００１８】
駆動ハンドル２５は、合成樹脂等の電気絶縁体で、図３に示すように、縦断面が略Ｔ字形をなす形状に形成され、両端部にスイッチカバー２３を着脱可能に係合して支持するための一対の支持片２５ａ、２５ｂが一体に形成され、中心部（Ｔ字の垂直部）に後述する可動接点部とともにスイッチの反転機能（トグル機能）を構成するための筒状の穴をなす可動接点支持部２５ｃが一体に形成されている。また、駆動ハンドル２５は、Ｔ字をなす形状の水平部と垂直部の交差点近傍が軸支部ａとなるように、ケース体２４の開口部２４ａの両側壁に対し、図３において左右に揺動が可能になるように軸支されている。
【００１９】
接点開閉部２６は、可動接点部と固定接点部で構成され、可動接点部は、可動接点２６ａと可動片２６ｂで構成され、固定接点部は、固定接点２６ｃと固定片２６ｄで構成されている。
【００２０】
端子部２７、２８は、固定接点部の固定片２６ｄに接続された一方（図３中、左方）の差し込み式の端子板と、先端がＶ字状に形成された溝ｖを有する固定片２６ｅに接続された他方(図３中、右方)の差し込み式の端子板で構成されている。
【００２１】
そして、接点開閉部２６は、次のようにスイッチの反転機能（トグル機能）を構成している。すなわち、可動接点部の可動片２６ｂの上端部が、駆動ハンドル２５の可動接点支持部２５ｃの穴に対し、コイルスプリング２５ｄとスプリング受２５ｅを介して挿入され、可動片２６ｂの下端部が他方の端子部２８に接続された固定片２６ｅのＶ字の溝ｖに対し、揺動が可能になるように支持される。
【００２２】
この際、可動片２６ｂは、コイルスプリング２５ｄの軸方向の弾力に抗し圧縮した状態で支持され、かつ、可動片２６ｂの上端部とスプリング受２５ｅとの接触部（支持部分ｂ）が、溝ｖを支点として、図３中、左右方向に揺動できるように支持される。そして、駆動ハンドル２５の軸支部ａと固定片２６ｅの溝ｖの先端を結ぶ線ｘ−ｘが反転機能の中立状態を示す中立線となるように構成される。
【００２３】
これにより、駆動ハンドル２５の左右の支持片２５ａ、２５ｂのいずれかを押圧することによって、すなわち、図３（ａ）に示すように、右方の支持片２５ｂを押圧することにより、可動接点支持部２５ｃがコイルスプリング２５ｄを圧縮しながら左方に移動し、同時に可動片２６ｂも左方に移動し、両者が反転機能の中立線ｘ−ｘを越える。
【００２４】
そして、中立線ｘ−ｘを越えることによって、可動接点支持部２５ｃがより左方に移動することによってコイルスプリング２５ｄの圧縮力が一部開放され、同時に可動片２６ｂが左方に移動し、可動接点２６ａが固定接点２６ｃに接触してオン状態となり、コイルスプリング２５ｄの弾力によってオン状態に保持される。
【００２５】
逆に、図６（ｂ）に示すように、左方の支持片２５ａを押圧することにより、可動接点支持部２５ｃがコイルスプリング２５ｄを圧縮しながら右方に移動し、同時に可動片２６ｂも右方に移動し、両者が反転機能の中立線ｘ−ｘを越える。中立線ｘ−ｘを越えることによって、可動接点支持部２５ｃがより右方に移動することによってコイルスプリング２５ｄの圧縮力が一部開放され、同時に可動片２６ｂが右方に移動し、可動接点２６ａが固定接点２６ｃから離間してオフ状態となり、コイルスプリング２５ｄの弾力によってオフ状態が保持される。
【００２６】
なお、上記に構成された壁スイッチ２１には、駆動ハンドル２５の支持片２５ａ、２５ｂにスイッチカバー２３が着脱可能になるように嵌め込まれ、スイッチカバー２３を左右に押圧することによって、上述の反転機能を伴ったオン・オフのスイッチ操作が行われる。
【００２７】
上記のように構成された壁スイッチ２１は、その構成部品、すなわち、スイッチ本体２２、スイッチカバー２３およびスイッチ本体２２を構成するケース体２４、駆動ハンドル２５、接点開閉部２６、端子部２７、２８は、全て既存のワイド形のスイッチに使用されている共通の部品で構成されている。
【００２８】
そして、本実施形態の壁スイッチ２１は、上記のように既存のワイド形スイッチの駆動ハンドル２５を利用し、その駆動ハンドルに簡単な改良を加えることにより、目的とするスイッチ機能、すなわち、スイッチを操作することによって接点開閉部２６がオフ状態になるとともに、操作を止めることにより接点開閉部２６をオン状態に復帰させる機能、すなわち、常時オン状態を保持することが可能な壁スイッチを構成したものである。
【００２９】
その構成は、図３（ａ）に示すように、駆動ハンドル２５の裏面側、すなわち、Ｔ字の水平部分の内面に、ストッパー部材３０を、駆動ハンドル２５の樹脂成形時に一体に垂下させて形成する。このストッパー部材３０は、本実施形態においては、図３（ａ）中、Ｔ字の水平部分の左方側の内面に対し、小さなピン状をなす部材を下面に向けて突出させるように形成した。垂下するストッパー部材３０の長さは、図３（ｂ）に示すように、駆動ハンドル２５の左方を押圧したときに、ストッパー部材３０の先端が固定片２６ｄの水平に曲げられた部分に当接して、可動接点支持部２５ｃと可動片２６ｂが、反転機能の中立線ｘ−ｘの手前で停止するように構成する。この中立線の手前とは、可動接点支持部２５ｃと可動片２６ｂが反転機能によって反転しない位置であればよい。
【００３０】
これにより、壁スイッチ２１は、駆動ハンドル２５の左方を押すことによって反転機能の中立状態の手前で駆動ハンドル２５の移動が停止され、接点開閉部２６が図３（ｂ）に示すように、可動接点２６ａと固定接点２６ｃが離間してオフ状態になる。そして、駆動ハンドル２５の押す操作を止めることにより、反転機能をなすコイルスプリング２５ｄの反転前の弾力によって元の状態に戻り、接点開閉部２６を図３（ａ）に示すように、元のオン状態に自動的に復帰させスイッチの導通を再開することが可能になる。すなわち、常時オン状態を保持することができる。
【００３１】
次に、上記のように構成された照明器具１１および壁スイッチ２１からなる照明制御システム１０の作動につき説明する。
【００３２】
上述した照明器具１１は、図１、２に示すように屋内配線Ｌに接続された引掛シーリングＹによって部屋の天井面Ｘに設置される。また、壁スイッチ２１は、図４（ａ）に一例を示すように、スイッチ本体２２がサポート金具Ｓに支持され部屋の壁面に設けられた配線ボックス内で屋内配線Ｌに配線接続されて取り付けられる。さらに、図４（ｂ）に一例を示すように、スイッチ本体２２の駆動ハンドル２５に対しスイッチカバー２３が嵌め込まれ、このスイッチカバー２３が露出する窓孔を有するプレートＰで覆われることによって部屋の壁面に設置される。
【００３３】
そして、照明器具１１を点灯する場合には、リモコン１２の操作部１２ｂを電源オンの状態に操作する。これによりリモコン１２の信号送信部１２ｃから電源オンの信号が送信され、照明器具１１の信号受信部１１ｃがこの信号を受信し、照明制御部１１ｂを介して光源１１ａを点灯して所望の照明を行う。
【００３４】
この際、本実施形態の壁スイッチ２１は、上記のように、スイッチを操作することによって接点開閉部２６がオフ状態（図３（ｂ））になるとともに、操作を止めることにより接点開閉部２６をオン状態（図３（ａ））に復帰させる機能、すなわち常時オン状態を保持する機能を有しているため照明器具１１には常に電源が供給されている。このため壁スイッチ２１がオフ状態になっていることが常にないため、従来のようにわざわざ壁スイッチの所まで行きスイッチをオンにする必要がなく、手元のリモコン１２のみによって照明器具１１を点灯させることができ、使い勝手がよくなる。
【００３５】
なお、調光は、上記と同様に、リモコン１２の操作部１２ｂを操作して、例えば、全光・５０％調光・１０％調光等の調光信号をリモコン１２から照明器具１１に送信することによって、手元で所望の調光モードによる照明を行うことができる。
【００３６】
また、消灯する場合には、リモコン１２の操作部１２ｂを操作して、消灯信号を照明器具１１に送信することによって、手元で消灯を行うことができる。この際、従来のように壁スイッチ２１で消灯（オフ）しようとしても、本実施形態の壁スイッチ２１は、常時オン状態を保持する機能を有しているので、仮にスイッチカバー２３を押したとしても、壁スイッチ２１は反転機能の中立状態の手前で駆動ハンドル２５の移動が停止され、接点開閉部２６が図３（ｂ）に示すように、一旦オフ状態になるが、押す操作を止めることにより反転機能によって元の状態に戻り、接点開閉部２６を図３（ａ）に示すように、元のオン状態に自動的に復帰させ電源の導通を再開させることができる。
【００３７】
このため、次回に照明器具１１を点灯制御する場合でも、壁スイッチ２１は常時オン状態を保持し、オフ状態になっていることがなく器具の再度の点灯に際しても、壁スイッチの所にわざわざ行く必要はない。この機能は、特にネットワークを利用して、例えば、外出先から防犯等の目的で、部屋の照明を点灯させたい場合、外出先からは壁スイッチに行ってスイッチをオンさせることができないが、常時オン状態を保持する本実施形態の壁スイッチは、この問題を一気に解消することができ、ネットワーク時代に適した使い勝手のよい照明制御システムを提供することが可能になる。
【００３８】
以上のように、本実施形態によれば、使い勝手のよい照明制御システム１０を提供することが可能になるとともに、本実施形態の壁スイッチ２１は、常時オン状態を保持する機能だけではなく、操作を止めることにより接点開閉部をオン状態に自動的に復帰させる機能をも有している。これにより、この種リモコンによって点灯制御される照明器具が、従来から有している「スイッチの瞬時のオン・オフによるプルスイッチレス（点灯切替）機能」（例えば、特開２０００−１００５７８号公報の段落番号［００２０］等参照）、すなわち、壁スイッチ側で全光・５０％調光・１０％調光・常夜灯等の切替を、スイッチの瞬時のオン・オフ操作を繰り返すことによって切り替える機能を、スイッチカバー２３を単に１回押すだけの簡単な操作でオン・オフを行うことが可能になる。
【００３９】
因みに、従来の壁スイッチは、オンとオフの切り替えを行うため、スイッチカバーの左右をそれぞれ押してオンとオフを切り替えている。このため「プルスイッチレス機能」もスイッチカバーを１回押してオンし、再度押してオフにする２段階の操作が必要になる。しかし、本実施形態の壁スイッチ２１は、押す操作を止めることにより接点開閉部をオン状態に自動的に復帰させる機能を有していることから、その切り替え操作は、単に１回押す単純な操作のみで瞬時のオン・オフを行うことが可能になり、壁スイッチ側での「プルスイッチレス機能」を簡単な操作で確実に行うことが可能になる。これにより、壁スイッチ側においても、照明器具の点灯制御が可能となる便利な照明制御システムを提供することが可能になる。
【００４０】
また、壁スイッチ２１は、既存のワイド形のスイッチの駆動ハンドル２５を一部改良する簡単な構成で常時オン機能を有するスイッチを実現することができ、既存の駆動ハンドル２５に対し、小さなピン状をなすストッパー部材３０を単に付加する簡単な構成で安価な壁スイッチ２１および照明制御システム１０を提供することが可能になる。
【００４１】
また、本実施形態の壁スイッチ２１は、既存のワイド形のスイッチを利用しているので、ストッパー部材３０を付加すれば常時オン状態に保持することが可能なスイッチとして構成でき、また、ストッパー部材を付加しなければ、通常のオン・オフスイッチとして使用することができ、汎用性のよい壁スイッチを提供することが可能になる。
【００４２】
以上、本実施形態において、一般家庭用の照明制御システムを構成したが、オフィス、ホール、工場等、全ての照明制御システムにて適用することができる。また、照明器具の遠隔操作を無線式のリモコンで構成したが有線式であってもよい。さらには、電力線搬送方式であってもよい。
【００４３】
また、壁スイッチ２１におけるストッパー部材３０は、駆動ハンドル２５に一体に形成したが、別体のストッパー部材を接着剤等で固定して構成しても、さらには、ネジ等の部品を駆動ハンドル２５に単にねじ込んで構成してもよい。これら別体の部品で構成することによって、駆動ハンドルを新たに樹脂成形することが不要となり、成形用の新たな成形型が不要となって、より一層安価な壁スイッチを提供することが可能になるとともに、一層汎用性に優れた壁スイッチを提供することが可能になる。
【００４４】
さらに、ストッパー部材３０を別体に構成することによって、ストッパー部材３０は、スイッチ本体２２と係止する位置（ストッパーとして作用する位置）と、係止しない位置（ストッパーとして作用しない位置）に、スイッチカバーの外方からノブ等の操作によって選択的に移動させるように構成することもできる。この構成によって、常時オン状態の壁スイッチをオフ状態とすることができ、照明器具への電源供給を、分岐ブレーカを遮断することなく停止することができ、照明器具の修理時に対応することができ、一層便利で使い勝手のよい照明制御システムを提供することが可能になる。
【００４５】
なお、本実施形態において、壁スイッチ２１は、上記のように既存のワイド形スイッチを一部改良して構成したが、ワイド形ではなく、スイッチの操作部が小さい形式のスイッチであってもよい。換言すれば、本実施形態は、スイッチカバー、すなわち、スイッチの操作部ではなく、スイッチ本体にストッパー機能を設けた構成であるので、スイッチの操作部は如何なる形態のものであってもよい。さらには、スイッチカバーやスイッチ本体を新規に構成した壁スイッチであっても勿論よい。また、壁スイッチ２１は１個を壁面に設置して照明システムを構成したが、図５に一例を示すように、２個（図５（ａ））、３個（図５（ｂ））等、複数個を連接して設け、複数の照明器具を有する照明制御システムを構成してもよい。
【実施形態２】
【００４６】
本実施形態の照明制御システムは、実施形態１におけるスイッチを操作することによって接点開閉部がオフ状態になるとともに、操作を止めることにより接点開閉部をオン状態に自動的に復帰させる機能を有する壁スイッチに替えて、接点開閉部をオン状態またはオフ状態に固定するための固定手段を有する壁スイッチにより照明器具への電源の供給を制御するものである。
【００４７】
この照明制御システム１０によれば、壁スイッチ２１は、接点開閉部をオン状態またはオフ状態に固定するための固定手段を有しているので、固定手段を選択することによって電源をオン状態に常時保持することが可能になり、リモコンによる遠隔操作に支障がないので、照明器具の点灯に際し、実施形態１と同様、従来のようにわざわざ壁スイッチの所まで行きスイッチを入れる必要がなく、使い勝手のよい照明制御システムを提供することが可能になる。
【００４８】
以下、本照明制御システムの構成を説明する。なお、実施形態１と同一部分に同一の符号を付して説明する。本実施形態は、実施形態１と同様、図１、２に示すように、一般家庭に設置される照明制御システム１０を構成するもので、遠隔操作によって点灯制御される照明器具１１と、照明器具に対する電源の供給を制御する壁スイッチ２１を有して構成する。
【００４９】
照明器具１１は、実施形態１と同様に、ＬＥＤを光源１１ａとし、この光源を遠隔制御によって制御するリモコン機能を備えたシーリング器具で構成され、部屋の天井面Ｘに引掛シーリング等の手段Ｙによって支持されている。照明器具１１の具体構成は、実施形態１と同様で、照明制御部１１ｂと信号受信部１１ｃを有し、遠隔操作機能を構成するための無線式のリモコン１２によって、点灯・調光・消灯等の各種の照明モードに点灯制御される。
【００５０】
そして、本実施形態の壁スイッチ２１は、接点開閉部２６をオン状態またはオフ状態に固定するための固定手段４０（図６〜９）を有して構成されている。すなわち、固定手段４０によって常時オン状態を保持することが可能なスイッチであり、新規の専用のスイッチを構成してもよいが、本実施形態においては、実施形態１と同様に、既存のワイド形のスイッチを利用し、その一部を改良することによって汎用性を有する安価な壁スイッチとして構成した。
【００５１】
すなわち、壁スイッチ２１は、実施形態１と同様、図６（ａ）に示すように、スイッチ本体２２とスイッチの操作部となるスイッチカバー２３で構成され、スイッチ本体２２は、ケース体２４、駆動ハンドル２５、接点開閉部２６、端子部２７、２８で構成されている。なお、駆動ハンドル２５には、実施形態１で付加したストッパー部材３０を設けることなく、既存の駆動ハンドルをそのまま使用する。したがって、スイッチ本体２２は、既存のワイド形のスイッチをそのまま利用して構成する。
【００５２】
そして、本実施形態では、スイッチカバー２３の一部を改良することによって、常時オン状態を保持することが可能な壁スイッチ２１を構成した。すなわち、既存のスイッチカバー２３は、図７に示すように、合成樹脂で構成された板状の長方形をなすカバー本体２３ａと、カバー本体２３ａの表面側に対し、接着テープ等の手段により密着するように取り付けられた化粧カバー２３ｂで構成されている。化粧カバー２３ｂは、光沢を有する合成樹脂でカバー本体２３ａと略同形状の薄い板状で長方形をなす形状に構成されている。
【００５３】
そして、本実施形態は、上記の構成されたカバー本体２３ａの表面側に、図７（ａ）（ｂ）に示すように、その中心点ｏを中心とする円形の浅い凹部２３ｃを一体に形成する。凹部２３ｃの直径は、カバー本体２３ａの左右の長辺近傍に達する程度の寸法に形成し、図７（ａ）において、円形内周部の左方斜め下方に位置して、凹部２３ｃの円と略同心円の円弧からなるガイド孔２３ｄを形成する。ガイド孔２３ｄは、図８（ｂ）に示すように、カバー本体２３ａに表面側から裏面側に貫通して形成され、円弧の長さは、約４５°の角度の範囲にわたって形成する。円弧の図７（ａ）中、左方の端部は、図９（ｃ）にスイッチ本体２２を破線で示すように、スイッチ本体２２に対しスイッチカバー２３を支持した場合に、ケース体２４の開口部２４ａの左方斜め下方角部の縁２４ａ−１に位置し、また、円弧の右方の端部は、図９（ｆ）に破線でスイッチ本体２２を示すように、ケース体２４の開口部２４ａの側壁の縁２４ａ−２と干渉しない側壁の外方に位置するようにして形成される。
【００５４】
そして、図７（ｃ）（ｄ）に示すように、カバー本体２３ａの凹部２３ｃ内に、凹部の直径より若干小さな直径寸法を有する薄い円板２３ｅが凹部２３ｃ内で回動が可能なように嵌め込まれる。この円板２３ｅは、合成樹脂で構成され、凹部２３ｃのガイド孔２３ｄの円弧に対応する位置に、本実施形態における固定手段を構成するピン状のストッパー４０が円板２３ｅの表面側から裏面側に突出して一体に形成されている。ピン状のストッパー４０の太さは、ガイド孔２３ｄの幅寸法より若干小さい寸法に形成し、裏面側に突出する部分がガイド孔２３ｄの円弧に沿って自由に移動できるように構成される。
【００５５】
これにより、円板２３ｅを、その裏面側のストッパー４０をガイド孔２３ｄに挿入しながら、凹部２３ｃ内に嵌め込むことによって、円板２３ｅの表面側に突出するストッパー４０を手で摘んで回すと、円板２３ｅがガイド孔２３ｄの円弧に沿って約４５°の角度の範囲にわたってある程度の摩擦力を持って回動ができるように構成される。
【００５６】
この際、円弧の両端部とスイッチ本体２２との位置関係が上記のように構成されているので、図９（ｃ）にスイッチ本体２２を破線で示すように、ストッパー４０が円弧の左方端に位置すると、ストッパー４０の下端がケース体２４の開口部２４ａの左方斜め下方角部の縁２４ａ−１に位置し、図９（ｆ）にスイッチ本体２２を破線で示すように、ストッパー４０が円弧の右方端に位置すると、ストッパー４０の下端がケース体２４の開口部２４ａの側壁の縁２４ａ−２と干渉しない側壁の外方に位置する。
【００５７】
また、図７（ｅ）（ｆ）に示すように、円板２３ｅを組み込んだカバー本体２３ａの表面側には、化粧カバー２３ｂが接着テープ等の手段によって取り付けられ、これにより円板２３ｅの表面側が化粧カバー２３ｂの内面でカバーされ、凹部２３ｃから外れないように、かつ回動が可能な状態で支持される。なお、化粧カバー２３ｂにも、表面側から裏面側に貫通し、かつカバー本体２３ａのガイド孔２３ｄに対向して、同形状をなす円弧からなるガイド孔２３ｇが形成されている。これにより、化粧カバー２３ｂの表面側から突出したストッパー４０の上端部を手で摘むことによって、スイッチカバー２３の外方から固定手段であるストッパー４０を自由に回動操作することができるように構成される。
【００５８】
なお、図８（ｂ）に示すように、カバー本体２３ａの裏面には、スイッチ本体２２の駆動ハンドル２５に設けられた一対の支持片２５ａ、２５ｂに対向して一対の支持凹部２３ｈ、２３ｈが一体に形成され、支持凹部内に板バネからなる係合片２３ｉ、２３ｉが設けられ、この一対の係合片２３ｉ、２３ｉを駆動ハンドル２５の一対の支持片２５ａ、２５ｂに対してそれぞれを嵌め込むことによって、スイッチカバー２３がスイッチ本体２２の駆動ハンドル２５に対し着脱が可能になるように支持され、スイッチ本体２２とスイッチカバー２３を有する本実施形態の壁スイッチ２１が構成される。なお、一対の支持凹部２３ｈ、２３ｈは、カバー本体２３ａの長手方向を上下に２分する水平な中心線上に左右対称に設けられている。
【００５９】
次に、上記に構成された壁スイッチ２１の作動を説明する。本実施形態の壁スイッチ２１は、上記のように、スイッチ本体２２の接点開閉部２６をオン状態またはオフ状態に固定するための固定手段４０を有して構成されているもので、先ず、接点開閉部２６をオン状態に選択して固定するための作動を説明する。
【００６０】
本実施形態におけるスイッチ本体２２の接点開閉部２６は、実施形態１と同様、図６に示すように、既存のワイド形のスイッチと同様の構成を有しており、駆動ハンドル２５の左右の支持片２５ａ、２５ｂのいずれかを押圧することによって、すなわち、図６（ａ）に示すように右方の支持片２５ｂを押圧することにより、オン状態に保持される。逆に、左方の支持片２５ａを押圧することにより、オフ状態が保持される。
【００６１】
上記のように作動する壁スイッチ２１は、次のようにして接点開閉部２６をオン状態に固定する。先ず、スイッチカバー２３を取り付けない状態で、駆動ハンドル２５の右方の支持片２５ｂを押圧して接点開閉部２６をオン状態に保持する。そして、外された状態のスイッチカバー２３を、その表面側に突出しているストッパー４０の上端部を手で摘み、図９（ａ）中、右方（矢印ａ）に回動する。これにより、ストッパー４０の下端が円弧をなすガイド孔２３ｄの左方端に当接して回動が停止する。そして、この状態で外されているスイッチカバー２３を駆動ハンドル２５に取り付ける。これにより、図７（ｃ）に示すように、ストッパー４０の下端がケース体２４の開口部２４ａの斜め下方角部の縁２４ａ−１に位置し、ストッパー４０の下端が縁２４ａ−１に当接して、スイッチカバー２３を押してもストッパー４０により、それ以上の移動が阻止され、壁スイッチ２１は常時オンの状態に保持される（図６（ａ））。また、ストッパー４０を縁２４ａ−１に当接しないように位置させた状態で、スイッチカバー２３を駆動ハンドル２５に取り付け、スイッチカバー２３によって接点開閉部２６をオン状態にした後に、スイッチカバー２３の表面側からストッパー４０を縁２４ａ−１に当接する位置に移動させるようにしてもよい。
【００６２】
また、接点開閉部２６を上記オン状態からオフ状態に操作するには、固定手段であるストッパー４０の上端部を手で摘み、図９（ｄ）中、左方（矢印ｂ）に回動する。これにより、ストッパー４０の下端が円弧をなすガイド孔２３ｄの右方端に当接し回動が停止する。これにより、図７（ｆ）に示すように、ストッパー４０の下端がケース体２４の開口部２４ａの側壁の縁２４ａ−２と干渉しない側壁の外方に位置する。
【００６３】
これにより、ストッパー４０とスイッチ本体２２との係止関係が解除され、スイッチカバー２３を押すことが可能になる。そしてスイッチカバー２３の左方を押すことによって、駆動ハンドル２５の左方が押され、接点開閉部２６が反転しオフ状態に保持する（図６（ｂ））。また、上記のオフ状態からオン状態に保持するには、上記同様に、一旦スイッチカバー２３を取り外し、接点開閉部２６をオンにしてから、ストッパー４０を右方（矢印ａ）に回動し、駆動ハンドル２５に取り付けることによって行うことができる。また、接点開閉部２６をオンにした後、ストッパー４０の上端部を摘み、スイッチカバー２３の表面側から操作してもよい。
【００６４】
次に、上記のように構成された照明器具１１および壁スイッチ２１からなる照明制御システム１０の作動につき説明する。
【００６５】
上述した照明器具１１は、実施形態１と同様、図１、２に示すように部屋の天井面Ｘに設置される。また、壁スイッチ２１は、実施形態１と同様、図４（ａ）に示すように、スイッチ本体２２がサポート金具Ｓに支持され部屋の壁面に設けられた配線ボックス内で屋内配線Ｌに配線接続されて取り付けられる。
【００６６】
そして、本実施形態の場合には、この状態、すなわち、スイッチカバー２３をスイッチ本体２２に取り付ける前に、駆動ハンドル２５の右方の支持片２５ｂを押圧することにより接点開閉部２６をオン状態にしておく。そして、取り付ける前のスイッチカバー２３を、そのストッパー４０の上端部を手で摘み、図９（ａ）中、右方（矢印ａ）に回動させる。この状態でスイッチカバー２３を駆動ハンドル２５に取り付け、プレートＰで覆うことによって部屋の壁面に設置される（図４（ｂ））。この状態で、図６（ａ）に示すように、壁スイッチ２１は、ストッパー４０の下端がケース体２４の下方角部の縁２４ａ−１に当接して、スイッチカバー２３を押してもストッパー４０により、それ以上の移動が阻止され、接点開閉部２６は、常時オンの状態に保持されている。
【００６７】
そして、照明器具１１を点灯する場合には、リモコン１２の操作部１２ｂを電源オンの状態に操作して所望の照明を行う。この際、本実施形態の壁スイッチ２１は、上記のように、既に常時オン状態になっているため照明器具１１には常に電源が供給されている。このため壁スイッチ２１がオフ状態になっていることがなく、リモコンによる遠隔操作に支障がないので、従来のようにわざわざ壁スイッチの所まで行きスイッチをオンにする必要がなく、手元のリモコン１２によって照明器具１１を点灯させることができ、実施形態１と同様に使い勝手がよくなる。
【００６８】
また、消灯する場合には、リモコン１２の操作部１２ｂを操作して、消灯信号を照明器具１１に送信することによって、手元で消灯を行うことができる。この場合、従来のように壁スイッチ２１で消灯しようとしても、本実施形態の壁スイッチ２１は、常時オン状態を保持する機能を有しているので、仮にスイッチカバー２３を押したとしても、ストッパー４０の下端がケース体２４の下方角部の縁２４ａ−１に当接して、それ以上の移動が阻止され、接点開閉部２６は、常時オンの状態に保持され電源の導通状態が維持される。
【００６９】
このため、次回に照明器具１１を点灯制御する場合でも、壁スイッチ２１は常時オン状態を保持し、オフ状態になっていることがなく器具の再度の点灯に際しても、壁スイッチの所にわざわざ行く必要はない。また、実施形態１と同様に、ネットワークを利用した場合の問題も解消することができる。
【００７０】
また、本実施形態の壁スイッチ２１は、上記のように、オフ状態に保持するように切り替えて使用することができる。すなわち、接点開閉部２６を上記オン状態からオフ状態にするには、固定手段であるストッパー４０の上端部を手で摘み、図９（ｄ）中、左方(矢印ｂ)に回動する。これにより、図９（ｆ）に示すように、ストッパー４０の下端がケース体２４の開口部２４ａの側壁の縁２４ａ−２と干渉しない側壁の外方に位置して、スイッチカバー２３とスイッチ本体２２との係止関係が解除され、スイッチカバー２３を押すことが可能になり、スイッチカバー２３の左方を押すことによって、駆動ハンドル２５の左方が押され、接点開閉部２６が反転してオフ状態（図６（ｂ））にすることができる。
【００７１】
この操作は、例えば、照明器具１１が故障して修理が必要となった場合に、ストッパー４０を単に左方（矢印ｂ）に回動させることにより、簡単にスイッチをオフ状態にすることができ、照明器具への電源供給を停止することが可能になる。因みに、オフ機能がない場合には、分岐ブレーカを遮断して照明器具への電源供給を停止する必要があるが、分岐ブレーカを遮断した場合には、照明以外の回路も遮断されてしまう等の不具合が生じてしまう。
【００７２】
しかし、本実施形態によれば、常時オン状態を保持する機能を有している上に、さらにオフ状態を選択することができ、より一層便利で使い勝手のよい照明制御システムを提供することが可能になる。さらに、例えば、長期間留守にしたり、空家等にする場合等には、照明器具への電源供給を遮断した状態にすることもでき、一層安全で便利な照明制御システムを提供することが可能となる。
【００７３】
さらに、ストッパー４０を左方（矢印ｂ）に回動することにより、スイッチカバー２３とスイッチ本体２２との係止関係が解除され、オン・オフ機能を有する通常のスイッチとしても使用することが可能になり、汎用性のよい壁スイッチを提供することが可能になる。
【００７４】
また、スイッチカバー２３は、固定手段を構成する円形の凹部２３ｃがカバー本体２３ａの中心点ｏを中心にし、ガイド孔２３ｄが凹部２３ｃの円と略同心円の円弧からなり、さらに約４５°の角度の範囲にわたって形成され、さらに、一対の支持凹部２３ｈ、２３ｈは、カバー本体２３ａの長手方向を上下に２分する水平な中心線上に左右対称に設けられている。
【００７５】
このため、スイッチカバー２３は、図９（ａ）（ｄ）において、長手方向の上下を逆にしてスイッチ本体２２に取り付けることができ、その場合には、上述したと逆の操作、すなわち、ストッパー４０によって常時オフ状態に保持するとともに、ストッパーを上述とは逆に回動させることによってオン状態に保持することができ、一層便利で使い勝手のよい壁スイッチを提供することが可能になる。また、図７（ａ）に代表して示す破線のように、ストッパー４０の回動範囲を広げることにより、オフ状態の固定、オン状態の固定、オン・オフ可能状態を任意に選択できる。
【００７６】
同時に、本実施形態の壁スイッチ２１は、上記のように、左右反転のスイッチも構成することができるため、３路や４路結線においても、対称回路の状態を常時オンや常時オフに固定することができ、一層汎用性に富んだ壁スイッチを提供することが可能になる。
【００７７】
以上のように、本実施形態によれば、使い勝手のよい照明制御システム１０を提供することが可能になるとともに、本実施形態の壁スイッチ２１は、接点開閉部２６をオン・オフにする機能を有していることから、この種リモコンによって点灯制御される照明器具が、従来から有している「スイッチの瞬時のオン・オフによるプルスイッチレス（点灯切替）機能」にも対応することが可能になり、壁スイッチ側においても、照明器具の点灯制御が可能となる便利な照明制御システムを提供することが可能になる。
【００７８】
また、ストッパー４０の長さを調節することにより、実施形態１と同様に、操作時のみオフ、操作を止めるとオンに復帰するスイッチに構成することができる。
【００７９】
また、本実施形態の壁スイッチ２１は、既存のワイド形のスイッチのスイッチカバー２３を一部改良する簡単な構成で、接点開閉部２６をオン状態またはオフ状態に選択して固定する機能、すなわち、常時オン機能を有するスイッチを実現することができ、簡素な構成で安価な壁スイッチおよび照明制御システムを提供することが可能になる。
【００８０】
また、本実施形態の壁スイッチ２１は、既存のワイド形のスイッチを利用しているので、ストッパーからなる固定手段４０を付加したスイッチカバー２３を取り付ければ、常時オン状態に保持することが可能なスイッチとして構成でき、また、固定手段を付加しない通常のスイッチカバーを使用すれば、通常のオン・オフスイッチとして使用することができ、一層汎用性のよい壁スイッチを提供することが可能になる。
【００８１】
また、壁スイッチ２１における固定手段であるストッパー４０は、スイッチカバー２３の表面側から操作できるように、化粧カバー２３ｂの表面側に上端を突出して設けたので、その操作、すなわち、オフ状態にする操作は、スイッチカバー２３をスイッチ本体２２から取り外すことなく行うことができ、一層使い勝手のよい壁スイッチを提供することが可能になる。
【００８２】
以上、本実施形態において、固定手段のストッパー４０は、その回動角度を約４５°の範囲に設定したが、さらに狭い角度から３６０°にわたる全ての角度が許容される。また、その操作方向は、直線状に移動させてもよく、直線移動の場合には、縦・横・斜め等、任意の方向、任意の移動距離に設定することができる。
【００８３】
また、ストッパー４０は、スイッチカバーの表面側から操作できるように構成したが、ストッパー４０の上端を化粧カバー２３ｂから突出させることなく、スイッチカバー２３の裏面側からのみ操作できるように構成してもよい。この場合、オフ状態にする場合には、スイッチカバー２３を一旦スイッチ本体２２から外し、ストッパー４０を裏面側からオフ位置に回動させてから、再度スイッチ本体に取り付け、スイッチカバー２３を押すことによってオフ状態にすることになるが、オフ状態にするときは、照明器具の故障等に行うのみであり、手間はかかるが、実使用においては支障なく十分に使用可能な構成である。本構成によれば、化粧カバー２３ｂの外観は従来と変わらないため、化粧カバーとしての機能を十分に果たすことが可能になる。
【００８４】
なお、本実施形態において、壁スイッチ２１は、上記のように既存のワイド形スイッチを一部改良して構成したが、ピアノハンドル式のワイド形のスイッチでもよい。さらには、新規に構成した専用の壁スイッチであっても勿論よい。また、壁スイッチ２１は１個を壁面に設置して照明制御システムを構成したが、図５（ａ）（ｂ）に示すように、２個、３個等、ストッパー４０が回動した際に、スイッチ本体２２の側壁と干渉しないように位置することができる範囲で、複数個を連接して用いることができる。以上、本実施形態において、その他の構成、作動・作用効果・変形例等は、実施形態１と同様である。
【実施形態３】
【００８５】
本実施形態の照明制御システムは、接点開閉部をオン状態またはオフ状態に固定するための固定手段を、スイッチ本体の駆動ハンドルに設けた壁スイッチにより照明器具への電源の供給を制御するものである。
【００８６】
この照明制御システム１０によれば、壁スイッチ２１は、実施形態２と同様に、接点開閉部をオン状態またはオフ状態に固定するための固定手段を有しているので、固定手段を選択することによって電源をオン状態に常時保持することが可能になり、リモコンによる遠隔操作に支障がないので、照明器具の点灯に際し、実施形態１、２と同様、従来のようにわざわざ壁スイッチの所まで行きスイッチを入れる必要がなく、使い勝手のよい照明制御システムを提供することが可能になる。
【００８７】
以下、本照明制御システムの構成を説明する。なお、実施形態１、２と同一部分に同一の符号を付して説明する。本実施形態は、実施形態１、２と同様、図１、２に示すように、一般家庭に設置される照明制御システム１０を構成するもので、遠隔操作によって点灯制御される照明器具１１と、照明器具に対する電源の供給を制御する壁スイッチ２１を有して構成する。
【００８８】
以下、壁スイッチ２１の構成および作動につき説明する。本実施形態の壁スイッチ２１は、実施形態１、２と同様、図１０、図１１に示すように、スイッチ本体２２とスイッチの操作部となるスイッチカバー２３で構成され、スイッチ本体２２は、ケース体２４、駆動ハンドル２５、接点開閉部２６、端子部２７、２８で構成され、既存のワイド形のスイッチを利用し、その駆動ハンドル２５の一部を改良することによって汎用性を有する安価な壁スイッチとして構成した。
【００８９】
そして、本実施形態の壁スイッチ２１は、実施形態２と同様に、スイッチ本体２２の接点開閉部２６をオン状態またはオフ状態に選択して固定するための固定手段５０を有して構成されている。すなわち、駆動ハンドル２５の裏面側、すなわち、Ｔ字の水平部分の内面に、固定手段としてのストッパー５０を、図１０（ａ）（ｂ）中、左右方向に移動が可能なように垂下させて形成する。このストッパー５０は、合成樹脂等で小さなピン状をなす形状に形成され、駆動ハンドル２５のＴ字の水平部分に形成された上下方向に貫通するスリット５０ａに対し、駆動ハンドル２５とは別体構成のストッパー５０が、スリット５０ａから抜けないように上下方向には固定した状態で、左右に移動ができるように構成する。
【００９０】
そして、垂下するストッパー５０の長さは、図１０（ｂ）に示すように、ストッパー５０をスリット５０ａの左方端に移動し、駆動ハンドル２５の左方を押圧したときに、ストッパー５０の下端が、固定片２６ｄの水平に曲げられた部分に当接する（干渉する）長さで、かつ、図１１に示すように、ストッパー５０をスリット５０ａの右方端に移動し、駆動ハンドル２５の左方を押圧したときに、ストッパー５０の下端が、接点開閉部２６等のスイッチ内蔵物に当たらない（干渉しない）長さに構成する。なお、ストッパー５０の上端は、駆動ハンドル２５の表面から若干突出して設けられ、操作の際に手の爪で引っ掛けて移動できるように構成されている。
【００９１】
次に、上記に構成された壁スイッチ２１の作動を説明する。先ず、接点開閉部２６をオン状態に選択して固定するためには、図１０（ａ）に示すように、スイッチカバー２３を取り付けない状態で、駆動ハンドル２５の右方の支持片２５ｂを押圧して、接点開閉部２６をオン状態に保持する。そして、駆動ハンドル２５の表面から突出しているストッパー５０の上端を手の爪で、図１０（ａ）（ｂ）中、左方に移動する。これにより、ストッパー５０の下端が固定片２６ｄの水平に曲げられた部分に当接する（図１０（ｂ））。この状態で外されているスイッチカバー２３を駆動ハンドル２５に取り付ける。
【００９２】
これにより、スイッチカバー２３の左方を押し、駆動ハンドル２５の左方の支持片２５ａが押されたとしても、ストッパー５０の下端が固定片２６ｄの水平に曲げられた部分に当接し、それ以上の移動が阻止されて常時オンの状態に保持される（図１０（ｂ））。
【００９３】
また、接点開閉部２６を上記オン状態からオフ状態に選択して固定するには、スイッチカバー２３を取り外し、固定手段であるストッパー５０の上端を手で摘み、図１０（ａ）中、右方に移動する。これにより、図１０（ｂ）に破線で示すように、ストッパー５０の下端が、スイッチの内蔵物に当たらない位置に移動する。
【００９４】
これにより、ストッパー５０の係止関係が解除され、駆動ハンドル２５を押すことが可能になる。そして図１１のように、駆動ハンドル２５の左方を押すことによって、接点開閉部２６が反転しオフ状態に保持される。また、上記オフ状態からオン状態に保持するには、上記同様に、一旦スイッチカバー２３を取り外し、接点開閉部２６をオンにしてから、ストッパー５０を左方に移動し、スイッチカバー２３を駆動ハンドル２５に取り付けることによって行うことができる。
【００９５】
次に、上記のように構成された照明器具１１および壁スイッチ２１からなる照明制御システム１０の作動につき説明する。
【００９６】
上述した照明器具１１は、実施形態１、２と同様、図１、２に示すように部屋の天井面Ｘに設置される。また、壁スイッチ２１は、実施形態１と同様、図４（ａ）に示すように、スイッチ本体２２がサポート金具Ｓに支持され部屋の壁面に設けられた配線ボックス内で屋内配線Ｌに配線接続されて取り付けられる。
【００９７】
そして、本実施形態の場合には、この状態、すなわち、スイッチカバー２３をスイッチ本体２２に取り付ける前に、駆動ハンドル２５の右方の支持片２５ｂを押圧することにより接点開閉部２６をオン状態にしておく。そして、駆動ハンドル２５の表面から突出しているストッパー５０の上端部を手で摘み、図１０（ａ）中、左方に移動する。この状態でスイッチカバー２３を駆動ハンドル２５に取り付け、プレートＰで覆うことによって部屋の壁面に設置される（図４（ｂ））。この状態で、壁スイッチ２１は、図１０（ｂ）に示すように、ストッパー５０の下端が固定片２６ｄの水平に曲げられた部分に当接して、スイッチカバー２３を押してもストッパー５０により、それ以上の移動が阻止され、接点開閉部２６は、常時オンの状態に保持されている。
【００９８】
そして、照明器具１１を点灯する場合には、リモコン１２の操作部１２ｂを電源オンの状態に操作して所望の照明を行う。この際、本実施形態の壁スイッチ２１は、上記のように、既に常時オン状態になっているため照明器具１１には常に電源が供給されており、従来のようにわざわざ壁スイッチの所まで行きスイッチをオンにする必要がなく、手元のリモコン１２によって照明器具１１を点灯させることができ、実施形態１、２と同様に使い勝手がよくなる。
【００９９】
また、消灯する場合には、リモコン１２の操作部１２ｂを操作して、消灯信号を照明器具１１に送信することによって、手元で消灯を行うことができる。この場合、従来のように壁スイッチ２１で消灯しようとしても、本実施形態の壁スイッチ２１は、常時オン状態を保持する機能を有しているので、仮にスイッチカバー２３を押したとしても、ストッパー５０の下端が固定片２６ｄの水平に曲げられた部分に当接して、それ以上の移動が阻止され、接点開閉部２６は、常時オンの状態に保持され電源の導通状態が維持される。
【０１００】
このため、次回に照明器具１１を点灯制御する場合でも、壁スイッチ２１は常時オン状態を保持し、オフ状態になっていることがなく器具の再度の点灯に際しても、壁スイッチの所にわざわざ行く必要はない。また、実施形態１、２と同様に、ネットワークを利用した場合の問題も解消することができる。
【０１０１】
また、本実施形態の壁スイッチ２１は、上記のように、オフ状態に保持するように切り替えて使用することができる。すなわち、接点開閉部２６を上記オン状態からオフ状態にするには、固定手段であるストッパー５０の上端を手で摘み、図１０（ａ）中、右方に移動する。これにより、ストッパー５０の下端がスイッチの内蔵物に当たらない位置に移動してストッパー５０の係止関係が解除され、スイッチカバー２３を押すことが可能になり、スイッチカバー２３の左方を押すことによって、駆動ハンドル２５の左方が押され、接点開閉部２６が反転してオフ状態にすることができる（図１０（ｂ））。
【０１０２】
これにより、実施形態２と同様に、照明器具１１の修理時に分岐ブレーカを遮断することなく、照明器具への電源供給を停止することが可能になる。さらに、長期間留守にしたり、空家等にする場合等にも照明器具への電源供給を遮断した状態にすることも可能となる。さらに、ストッパー５０を右方に移動することによりストッパー５０の係止関係が解除され、オン・オフ機能を有する通常のスイッチとしても使用することが可能になる。
【０１０３】
また、本実施形態の壁スイッチ２１は、実施形態２のように、スイッチカバー２３にストッパー４０を設けずに、スイッチ本体２２側にストッパー５０を設けるように構成した。これは、実施形態２のように、スイッチカバー２３にストッパー４０に設けた場合、ストッパー４０がスイッチ本体２２と干渉しないようにするための側方のスペースが必要となり、３連式や４連式等、スイッチを多数連接した場合に、そのスペースを確保することが難しくなる。しかし、本実施形態の壁スイッチ２１は、ストッパー５０をスイッチ本体２２側に設けたので、干渉を防止するための側方のスペースは不要となり、特に、多数連接する形式の照明制御システムに好適な壁スイッチを提供することが可能になる。
【０１０４】
以上のように、本実施形態によれば、使い勝手のよい照明制御システム１０を提供することが可能になるとともに、本実施形態の壁スイッチ２１は、接点開閉部２６をオン・オフにする機能を有していることから、この種リモコンによって点灯制御される照明器具が、従来から有している「スイッチの瞬時のオン・オフによるプルスイッチレス（点灯切替）機能」にも対応することが可能になり、壁スイッチ側においても、照明器具の点灯制御が可能となる便利な照明制御システムを提供することが可能になる。
【０１０５】
また、実施形態２と同様に、ストッパー４０の長さを調節することにより、実施形態１と同様に、操作時のみオフ、操作を止めるとオンに復帰するスイッチに構成することができる。
【０１０６】
また、本実施形態の壁スイッチ２１は、既存のワイド形のスイッチの駆動ハンドル２５を一部改良する簡単な構成で、接点開閉部２６をオン状態またはオフ状態に選択して固定する機能、すなわち、常時オン機能を有するスイッチを実現することができ、簡素な構成で安価な壁スイッチおよび照明制御システムを提供することが可能になる。
【０１０７】
また、本実施形態においては、壁スイッチ２１にリモコンホルダ６０を付加するように構成した。すなわち、図１２に示すように、スイッチカバー２３の化粧カバー２３ｂの下端部に、樹脂の一体成形によってＬ字形をなすフック部６０ａを形成する。これにより、図１２中、破線で示すように、リモコン１２をフック部６０ａ内に挟み込むことによって、壁スイッチ２１にリモコン１２を保持することが可能になる。
【０１０８】
これら構成は、本実施形態における壁スイッチ２１は、照明器具の故障等の場合以外は、通常滅多にスイッチをオフ状態にすることはなく、壁スイッチ自体へのリモコンホルダの設置を可能とすることができものである。なお、リモコンホルダ６０は、プレートＰに設けるように構成してもよい。これら構成により、リモコンを見つけ易くしたり、紛失を防止することが可能な照明制御システムを提供することができる。このリモコンホルダは、実施形態１、２の壁スイッチに対しても、同様に設けるように構成してもよい。以上、本実施形態において、その他の構成、作動・作用効果・変形例等は、実施形態１、２と同様である。
【０１０９】
以上、本発明の好適な実施形態を説明したが、本発明は上述の各実施形態に限定されることなく、各実施形態間における置換、組み合わせ等が可能であり、また、本発明の要旨を逸脱しない範囲内において、種々の設計変更を行うことができる。
【符号の説明】
【０１１０】
１０  照明制御システム
１１  照明器具
１２  リモコン
２１  壁スイッチ
２２  スイッチ本体
２３  スイッチカバー
２５  駆動ハンドル
２６  接点開閉部
３０  ストッパー部材
４０、５０  固定手段
【図１】
2014154286.tif 000003
【図２】
2014154286.tif 000004
【図３】
2014154286.tif 000005
【図４】
2014154286.tif 000006
【図５】
2014154286.tif 000007
【図６】
2014154286.tif 000008
【図７】
2014154286.tif 000009
【図８】
2014154286.tif 000010
【図９】
2014154286.tif 000011
【図１０】
2014154286.tif 000012
【図１１】
2014154286.tif 000013
【図１２】
2014154286.tif 000014